(57)【特許請求の範囲】
【請求項１】
紙葉類取扱装置であって、
前記紙葉類取扱装置の内部において、紙葉類を搬送するための搬送路と、
前記搬送路上に配置され、前記搬送路により搬送される紙葉類から紙葉類ごとの固有の情報である固有情報を取得するための取得処理を行う取得部と、
前記搬送路に接続され、前記取得部により固有情報を取得された順に紙葉類を格納するとともに、格納した順番に応じて紙葉類を排出する格納部と、
前記格納部に格納されている紙葉類の前記固有情報、および、前記格納部に格納された順番に関する情報である順番情報を記憶する記憶部と、
前記格納部から前記搬送路上に繰り出された前記紙葉類の枚数を計算し、前記取得部により取得処理がおこなわれた紙葉類の一部に、前記取得処理により固有情報の取得ができなかった第１の紙葉類が含まれる場合、前記第１の紙葉類の後に前記取得処理がおこなわれた第２の紙葉類の固有情報と、前記記憶部に記憶されている前記固有情報および前記順番情報と、を用いて、前記第１の紙葉類の固有情報を推定する推定部と、を備える紙葉類取扱装置。
【請求項２】
請求項１に記載の紙葉類取扱装置において、
前記推定部は、前記第２の紙葉類の固有情報と、前記記憶部に記憶されている前記固有情報および前記順番情報とを比較し、前記格納部から前記第２の紙葉類よりも先に排出されるべき紙葉類の固有情報を、前記第１の紙葉類の固有情報であると推定する紙葉類取扱装置。
【請求項３】
請求項１または請求項２に紙葉類取扱装置において、
前記格納部は、複数の格納庫を備え、
前記搬送路は、前記複数の格納庫のそれぞれと接続され、
前記記憶部は、前記複数の格納庫のそれぞれについて、格納されている紙葉類の前記固有情報、および、前記順番情報を記憶し、
前記推定部は、前記格納庫の１つから排出され、前記取得部により取得処理がおこなわれた後に他の格納庫へ格納される紙葉類の一部に、前記取得処理により固有情報の取得ができなかった第１の紙葉類が含まれる場合、前記第１の紙葉類の後に前記取得処理がおこなわれた第２の紙葉類の固有情報と、前記記憶部に記憶されている前記固有情報および前記順番情報と、を用いて、前記第１の紙葉類の固有情報を推定する紙葉類取扱装置。
【請求項４】
請求項１ないし請求項３のいずれかに記載の紙葉類取扱装置はさらに、
前記推定部による推定結果を表示媒体に表示させる表示制御部を備えている紙葉類取扱装置。
【請求項５】
紙葉類から紙葉類ごとの固有の情報である固有情報を取得するための取得処理を行う取得部と、前記取得部により固有情報を取得された順に紙葉類を格納するとともに、格納した順番に応じて紙葉類を排出する格納部と、を備える紙葉類取扱装置を用いた紙葉類取扱方法であって、
前記取得部により取得された固有情報を用いて、前記格納部に格納されている紙葉類の前記固有情報、および、前記格納部に格納された順番に関する情報である順番情報を記憶する工程と、
前記格納部から搬送路上に繰り出された前記紙葉類の枚数を計算し、前記取得部により取得処理がおこなわれた紙葉類の一部に、前記取得処理により固有情報の取得ができなかった第１の紙葉類が含まれる場合、前記第１の紙葉類の後に前記取得処理がおこなわれた第２の紙葉類の固有情報と、前記格納部に格納されている紙葉類の固有情報および順番情報と、を用いて、前記第１の紙葉類の固有情報を推定する工程と、を備える紙葉類取扱方法。
【発明の詳細な説明】
【技術分野】
【０００１】
本発明は、本発明は、紙葉類取扱装置と、紙葉類取扱装置を用いた紙葉類取扱方法に関する。
【背景技術】
【０００２】
従来から、ＡＴＭなどの現金自動取引装置に搭載される紙葉類取扱装置において、格納庫に格納している紙葉類のそれぞれについて、紙幣の記番号など、紙葉類ごとに固有の情報である固有情報を管理する技術が知られている（特許文献１）。格納庫に格納している紙葉類の固有情報を管理することにより、例えば、搬送している紙葉類の固有情報を特定することで、格納庫に格納している紙葉類の固有情報が特定でき、格納庫に格納している紙葉類の枚数や種類を確定させることができるなど、紙葉類取扱装置の計数処理に係る処理負担の軽減を図ることができる。
【先行技術文献】
【特許文献】
【０００３】
【特許文献１】特開平１１−３２８４９３号
【発明の概要】
【発明が解決しようとする課題】
【０００４】
しかし、紙葉類取扱装置の搬送路における紙葉類の搬送状態によっては、紙葉類から固有情報の読み取りができない場合があった。搬送している紙葉類の固有情報が特定できない場合には、固有情報を管理していても、格納庫に格納している紙葉類の枚数や種類を確定させることができず、計数処理に係る処理負担の軽減を図ることができない虞があった。
【０００５】
本発明は、上記した従来の課題の少なくとも一部を解決するためになされた発明であり、紙葉類の固有情報を管理する紙葉類取扱装置において、搬送している紙葉類から固有情報の読み取りができない場合であっても、計数処理に係る処理負担の軽減を図ることを目的とする。
【課題を解決するための手段】
【０００６】
上記課題の少なくとも一部を解決するために本願発明は以下の態様を採る。
【０００７】
第１の態様は、紙葉類取扱装置を提供する。第１の態様に係る紙葉類取扱装置は、前記紙葉類取扱装置の内部において、紙葉類を搬送するための搬送路と、前記搬送路上に配置され、前記搬送路により搬送される紙葉類から紙葉類ごとの固有の情報である固有情報を取得するための取得処理を行う取得部と、前記搬送路に接続され、前記取得部により固有情報を取得された順に紙葉類を格納するとともに、格納した順番に応じて紙葉類を排出する格納部と、前記格納部に格納されている紙葉類の前記固有情報、および、前記格納部に格納された順番に関する情報である順番情報を記憶する記憶部と、前記格納部から前記搬送路上に排出され、前記取得部により取得処理がおこなわれた紙葉類の一部に、前記取得処理により固有情報の取得ができなかった第１の紙葉類が含まれる場合、前記第１の紙葉類の後に前記取得処理がおこなわれた第２の紙葉類の固有情報と、前記記憶部に記憶されている前記固有情報および前記順番情報と、を用いて、前記第１の紙葉類の固有情報を推定する推定部と、を備える。
【０００８】
第１の態様に係る紙葉類取扱装置によれば、格納部から排出され、取得部により取得処理がおこなわれた紙葉類の一部に、固有情報の取得ができなかった紙葉類が含まれても、固有情報の取得ができなかった紙葉類の後に取得処理がおこなわれた紙葉類の固有情報と、記憶部に記憶されている固有情報および順番情報と、を用いて、固有情報の取得ができなかった紙葉類の固有情報を推定するため、搬送している紙葉類から固有情報の読み取りができない場合であっても、計数処理に係る処理負担の軽減を図ることができる。
【０００９】
第１の態様に係る紙葉類取扱装置において、前記推定部は、前記第２の紙葉類の固有情報と、前記記憶部に記憶されている前記固有情報および前記順番情報とを比較し、前記格納部から前記第２の紙葉類よりも先に排出されるべき紙葉類の固有情報を、前記第１の紙葉類の固有情報であると推定してもよい。この場合、第２の紙葉類よりも先に排出されるべき紙葉類の固有情報を、第１の紙葉類の固有情報であると推定することで、格納部に格納している紙葉類の枚数や種類が不明確なとなった場合であっても、不明確な状態の紙幣の枚数を抑制することができるため、計数処理に係る処理負担の軽減を図ることができる。
【００１０】
第１の態様に係る紙葉類取扱装置において、前記格納部は、複数の格納庫を備え、前記搬送路は、前記複数の格納庫のぞれぞれと接続され、前記記憶部は、前記複数の格納庫のそれぞれについて、格納されている紙葉類の前記固有情報、および、前記順番情報を記憶し、前記推定部は、前記格納庫の１つから排出され、前記取得部により取得処理がおこなわれた後に他の格納庫へ格納される紙葉類の一部に、前記取得処理により固有情報の取得ができなかった第１の紙葉類が含まれる場合、前記第１の紙葉類の後に前記取得処理がおこなわれた第２の紙葉類の固有情報と、前記記憶部に記憶されている前記固有情報および前記順番情報と、を用いて、前記第１の紙葉類の固有情報を推定してもよい。この場合、格納庫の１つから排出され、取得部により取得処理がおこなわれた後に他の格納庫へ格納される紙葉類の一部に、固有情報の取得ができなかった紙葉類が含まれても、固有情報の取得ができなかった紙葉類の後に取得処理がおこなわれた紙葉類の固有情報と、記憶部に記憶されている固有情報および順番情報と、を用いて、固有情報の取得ができなかった紙葉類の固有情報を推定するため、搬送している紙葉類から固有情報の読み取りができない場合であっても、計数処理に係る処理負担の軽減を図ることができる。
【００１１】
第１の態様に係る包装硬貨取扱装置はさらに、前記推定部による推定結果を表示媒体に表示させる表示制御部を備えていてもよい。この場合、推定結果をユーザに示すことができるため、計数処理に係る処理負担の軽減を図ることができる。第２の態様は、紙葉類取扱装置を提供する。第２の態様に係る紙葉類取扱装置は、前記紙葉類取扱装置の内部において、紙葉類を搬送するための搬送路と、前記搬送路上に配置され、前記搬送路により搬送される紙葉類から紙葉類ごとの固有の情報である固有情報を取得するための取得処理を行う取得部と、前記搬送路に接続され、前記取得部により固有情報を取得された順に紙葉類を格納するとともに、格納した順番に応じて紙葉類を排出する格納部と、前記格納部に格納されている紙葉類の前記固有情報、および、前記格納部に格納された順番に関する情報である順番情報を記憶する記憶部と、前記格納部から前記搬送路上に繰り出された前記紙葉類の枚数を計算し、前記取得部により取得処理がおこなわれた紙葉類の一部に、前記取得処理により固有情報の取得ができなかった第１の紙葉類が含まれる場合、前記第１の紙葉類の後に前記取得処理がおこなわれた第２の紙葉類の固有情報と、前記記憶部に記憶されている前記固有情報および前記順番情報と、を用いて、前記第１の紙葉類の固有情報を推定する推定部と、を備える。第２の態様に係る紙葉類取扱装置によれば、格納部から排出され、取得部により取得処理がおこなわれた紙葉類の一部に、固有情報の取得ができなかった紙葉類が含まれても、固有情報の取得ができなかった紙葉類の後に取得処理がおこなわれた紙葉類の固有情報と、記憶部に記憶されている固有情報および順番情報と、を用いて、固有情報の取得ができなかった紙葉類の固有情報を推定するため、搬送している紙葉類から固有情報の読み取りができない場合であっても、計数処理に係る処理負担の軽減を図ることができる。
【００１２】
なお、本発明は、上記以外の種々の形態で実現することが可能であり、例えば、搬送路、取得部、格納部を備える紙葉類取扱装置を用いた紙葉類取扱方法、紙葉類取扱方法または紙葉類取扱装置の機能を実現するためのコンピュータープログラム、そのコンピュータープログラムを記録した記憶媒体等の形態で実現することができる。また、本発明に係る紙葉類取扱装置は、適宜、他の部材と組み合わせて適用することができる。
【図面の簡単な説明】
【００１３】
【図１】本発明の一実施例としての紙葉類取扱装置を搭載した現金自動取引装置の外観の構成を示す説明図である。
【図２】ＡＴＭ１０の内部構成の概略を示すブロック図である。
【図３】紙幣取扱機構３００の概略構成を示す説明図である。
【図４】紙幣取扱機構３００の内部構成の概略を示すブロック図である。
【図５】紙幣取扱制御部が記憶部に格納する情報を説明するための説明図である。
【図６】紙葉類推定処理の流れを示すフローチャートである。
【図７】紙幣取扱機構および記憶部を模式的に示した説明図である。
【図８】紙葉類推定１を説明するための説明図である。
【図９】リジェクト時推定処理の流れを示すフローチャートである。
【図１０】紙葉類推定２を説明するための説明図である。
【図１１】取得成功時推定処理の流れを示すフローチャートである。
【図１２】紙葉類推定３を説明するための説明図である。
【図１３】紙葉類推定３の他の例を説明するための説明図である。
【図１４】紙葉類推定４を説明するための説明図である。
【図１５】紙葉類推定４の他の例を説明するための説明図である。
【図１６】紙葉類推定５を説明するための説明図である。
【図１７】紙葉類推定処理の結果についての出力例を例示した説明図である。
【発明を実施するための形態】
【００１４】
以下、本発明の実施の形態について、図面を参照しつつ、実施例に基づいて説明する。
【００１５】
Ａ．第１実施例
Ａ１．全体構成：
図１は、本発明の一実施例としての紙葉類取扱装置を搭載した現金自動取引装置の外観の構成を示す説明図である。現金自動取引装置１０（以降、「ＡＴＭ」とも呼ぶ。）は、前面に、カードスロット１０１と、タッチパネル２０１と、入出金口３２０とを備えている。カードスロット１０１は、種々のカード（例えば、クレジットカードやキャッシュカード）の挿入を受け付けるための挿入排出口である。タッチパネル２０１は、利用者に対して操作案内画面を表示する表示機能と、入力操作を受け付ける入力機能を有している。入出金口３２０は、利用者から紙葉類（以下、「紙幣」とも呼ぶ。）を受け付け、また、利用者に対して紙幣の排出を行うための紙幣受渡・受取口である。また、ＡＴＭ１０は、外周を覆う装置筐体２０の内部に、金庫筺体３０と、紙幣取扱機構３００とを備えている。金庫筺体３０は、装置筐体２０よりも頑強に形成されており、不正なアクセス（壁の破壊等）に対してより耐性の高い構造（例えば、厚さ数十ｍｍ程度の鉄板）を有している。紙幣取扱機構３００についての詳細は後述する。
【００１６】
図２は、ＡＴＭ１０の内部構成の概略を示すブロック図である。ＡＴＭ１０は、カード明細票処理機構１００と、顧客操作部２００と、紙幣取扱機構３００と、インタフェース部４００と、係員操作部５００と、本体制御部６００と、外部記憶装置７００と、電源部８００とを備えている。
【００１７】
カード明細票処理機構１００は、カードスロット１０１を含み、挿入されたカード類の処理や、取引明細票の印字処理を行う機能を有する。顧客操作部２００は、タッチパネル２０１を含み、利用者からの操作を受け付け、本体制御部６００へと伝達する機能を有する。紙幣取扱機構３００は、入出金口３２０を含み、入出金紙幣の計算や、紙幣の入出金等を行う機能を有する。インタフェース部４００は、図示しないホストコンピュータと通信する機能を有する。係員操作部５００は、係員（例えば、銀行職員等）からの操作を受け付け、本体制御部６００へと伝達する機能を有する。外部記憶装置７００は、例えば、ハードディスクや、フラッシュメモリ、光ディスク等のデータ記録装置で構成される。本体制御部６００は、前述の各部（１００〜７００）とバスにより接続され、前述の各部を制御する機能を有する。電源部８００は、ＡＴＭ１０の各部に電源を供給する。
【００１８】
図３は、紙幣取扱機構３００の概略構成を示す説明図である。紙幣取扱機構３００は、入出金口３２０と、紙幣判別部３３０と、一時保管庫３４０と、リジェクト庫３６０と、装填庫３７０と、収納庫３８０と、これらをそれぞれ繋ぐ搬送路３５０と、を備えている。収納庫３８０は、第１収納庫３８１、第２収納庫３８２、第３収納庫３８３、第４収納庫３８４の４つの収納庫により構成されている。装填庫３７０および収納庫３８０は、金庫筺体３０に収納されている。
【００１９】
紙幣判別部３３０は、搬送路３５０上に配置され、搬送路３５０上の紙幣の金種およびリジェクト紙幣か否かについての判別を行う。リジェクト紙幣とは、例えば、過度の損傷や汚染のある真券や、偽券（真正でない紙幣）、複数枚重なった状態の紙幣、スキューやシフト状態の紙幣等である。また、紙幣判別部３３０は、搬送路３５０上の紙幣から紙幣ごとに固有の情報である固有情報を取得するための取得処理を行う。本実施例では、取得処理とは、搬送路３５０上の紙幣から、紙幣ごとに固有の番号である記番号の読み取りを行う処理である。紙幣判別部３３０は、紙幣判別部３３０を通過する紙幣の搬送方向に関係なく、搬送路３５０上の紙幣に対してリジェクト紙幣か否かの判定や、取得処理を行うことができる。
【００２０】
一時保管庫３４０は、入出金口３２０に投入された紙幣を取引成立までの間、一時的に保管しておく保管庫である。リジェクト庫３６０は、リジェクト紙幣や、利用者が入出金時に取り忘れた紙幣を収納するための保管庫である。
【００２１】
収納庫３８０は、出金に用いられる紙幣を金種別に収納しておく保管庫である。なお、収納庫３８０の一部は、入出金取引で発生したリジェクト紙幣を収納するためのリジェクト庫として用いられていてもよい。また、本実施例においては、収納庫３８０は４つ（第１収納庫３８１、第２収納庫３８２、第３収納庫３８３、第４収納庫３８４）設けられているが、１つ以上の任意の個数としてもよい。装填庫３７０は、収納庫３８０に充填する紙幣を収納するほか、収納庫３８０から回収した紙幣の保管を行う保管庫である。以後、一時保管庫３４０、リジェクト庫３６０、装填庫３７０、および、収納庫３８０をすべて含めて単に「保管庫３４０、３６０、３７０、３８０」とも呼ぶ。また、例えば、リジェクト庫３６０を除く、一時保管庫３４０、装填庫３７０、および、収納庫３８０を「保管庫３４０、３７０、３８０」とも呼ぶ。
【００２２】
保管庫３４０、３７０、３８０は、それぞれ、格納した順に紙幣を集積し、出金時には集積した紙幣の上部の紙幣から順に排出する。すなわち、保管庫３４０、３７０、３８０は、収納した順番と逆の順に紙幣を排出する。また、保管庫３４０、３７０、３８０に搬送される紙幣は、格納される前に紙幣判別部３３０により固有情報の取得がおこなわれる。よって、保管庫３４０、３７０、３８０は、紙幣判別部３３０により固有情報を取得された順に紙幣を収納し、固有情報を取得した順と逆の順に紙幣を排出する。なお、本実施例では、保管庫３４０、３７０、３８０は、収納した順番と逆の順に紙幣を排出するが、格納した順番に応じて紙幣を排出すれは、これ以外の態様であってもよい。例えば、保管庫３４０、３７０、３８０は、格納した順に紙幣を排出する態様であってもよい。この場合、保管庫３４０、３７０、３８０は、固有情報を取得した順に紙幣を排出する。リジェクト庫３６０に搬送される紙幣は、格納される前に紙幣判別部３３０により固有情報の取得がおこなわれる。ＡＴＭ１０は、リジェクト庫３６０に格納した紙幣を、リジェクト庫３６０の外に排出しない。
【００２３】
搬送路３５０は、保管庫３４０、３６０、３７０、３８０の間で紙幣の搬送を行う。搬送路３５０は、図の矢印に示すように紙幣を双方向に搬送可能であり、必要に応じて搬送経路の切り替えが行われる。なお、搬送路３５０は、紙幣判別部３３０を上記双方向のいずれの搬送方向で通過した紙幣であっても、再度、紙幣判別部３３０を経由することなく保管庫３４０、３６０、３７０、３８０に搬送することができ、また、保管庫３４０、３７０、３８０から排出された紙幣をいずれの搬送方向からでも紙幣判別部３３０を通過させることができる。
【００２４】
図４は、紙幣取扱機構３００の内部構成の概略を示すブロック図である。紙幣取扱機構３００は、入出金口３２０、紙幣判別部３３０、保管庫３４０、３６０、３７０、３８０、および、搬送路３５０に加えて、さらに、紙幣取扱制御部３１０と、記憶部３９０とを備えている。紙幣取扱制御部３１０は、記憶部３９０と、図示しないＣＰＵとを含み、上記の入出金口３２０、紙幣判別部３３０、保管庫３４０、３６０、３７０、３８０、および、搬送路３５０を制御する。紙幣取扱制御部３１０は、例えば、入出金口３２０、紙幣判別部３３０、保管庫３４０、３６０、３７０、３８０、および、搬送路３５０に備えられている図示しないアクチュエータ（駆動モータや電磁ソレノイド）やセンサを制御し、センサにより紙幣の搬送状態を監視しながら、アクチュエータを駆動させて紙幣の繰り出し、搬送、集積などを行う。紙幣取扱制御部３１０は、バスを介して本体制御部６００と接続されている。
【００２５】
記憶部３９０は、ＲＯＭやＲＡＭからなり、紙幣取扱制御部３１０に含まれる図示しないＣＰＵより処理されるプログラムを格納する領域を備えるとともに、保管庫３４０、３６０、３７０、３８０のそれぞれについて、保管庫ごとに格納している紙幣の固有情報と、保管庫ごとに紙幣の格納された順番に関する情報である順番情報とを格納する領域を備えている。本実施例において、順番情報は、それぞれの保管庫に格納されている紙幣について、紙幣判別部３３０に固有情報を取得された順番と同じである。順番情報は、例えば、各保管庫に格納されている紙幣の固有情報を紙幣判別部３３０により取得された順に並べることによって表すことができる。各保管庫は、紙幣判別部３３０に固有情報を取得された順に紙幣を収納するため、紙幣判別部３３０に固有情報を取得された順番によって、紙幣が格納された順番を表すことができる。
【００２６】
以後、記憶部３９０のうち、一時保管庫３４０に格納されている紙幣についての固有情報と順番情報を格納する領域を一時保管庫情報記憶部３９１と、リジェクト庫３６０に格納されている紙幣についての固有情報と順番情報を格納する領域をリジェクト庫情報記憶部３９２と、装填庫３７０に格納されている紙幣についての固有情報と順番情報を格納する領域を装填庫情報記憶部３９３と、第１収納庫３８１に格納されている紙幣についての固有情報と順番情報を格納する領域を第１収納庫情報記憶部３９４と、第２収納庫３８２に格納されている紙幣についての固有情報と順番情報を格納する領域を第２収納庫情報記憶部３９５と、第３収納庫３８３に格納されている紙幣についての固有情報と順番情報を格納する領域を第３収納庫情報記憶部３９６と、第４収納庫３８４に格納されている紙幣についての固有情報と順番情報を格納する領域を第４収納庫情報記憶部３９７とも呼ぶ。
【００２７】
紙幣取扱制御部３１０は、ＣＰＵが記憶部３９０に格納されているプログラムを処理することにより、後述する紙葉類推定処理を実行する。また、紙幣取扱制御部３１０は、紙幣判別部３３０から取得した固有情報を用いて、記憶部３９０に格納されている保管庫ごとの固有情報や順番情報の設定および更新を行う設定部および更新部として機能するほか、紙幣判別部３３０により固有情報の読み取りができなかった紙幣についての固有情報を推定する推定部としての機能を実現する。本実施例では、紙幣取扱制御部３１０は、ＣＰＵがプログラムを処理することにより実現されるソフトウェア的な態様で示されているが、集積回路等により実現されるハードウェア的な態様としてもよい。
【００２８】
本実施例の紙幣取扱制御部３１０は、紙幣判別部３３０から取得した固有情報のみではく、取得処理により固有情報の取得が成功したか否かの取得結果や、紙幣がリジェクト紙幣であるか否かの判定結果を含む情報についても記憶部３９０に格納する。紙幣取扱制御部３１０が記憶部３９０に格納する情報の具体例について以下に説明する。
【００２９】
図５は、紙幣取扱制御部が記憶部に格納する情報を説明するための説明図である。紙幣取扱制御部３１０は、紙幣判別部３３０の取得処理により固有情報の取得が成功したか否かの取得結果や、取得が成功した場合にはその固有情報、および、紙幣がリジェクト紙幣か否かの判定結果を取得する。
【００３０】
紙幣取扱制御部３１０は、紙幣判別部３３０に搬送した紙幣が、リジェクト紙幣ではないと判定され、さらに、固有情報の取得が成功した場合、その搬送した紙幣を図５（ａ）に示す「正常紙葉類」と判定する。ここで「正常紙葉類」とは、固有情報が判明している１枚の紙葉類を表している。紙幣取扱制御部３１０は、搬送した紙幣が正常紙葉類であると判定すると、正常紙葉類を繰り出した排出側保管庫と対応する記憶部から、正常紙葉類の固有情報を削除し、順番情報を更新する。更新された順番情報は、正常紙葉類が繰り出された後に排出側保管庫に残っている紙幣の繰り出し順番を表す。一方、繰り出された正常紙葉類を収容する側の受け入れ側保管庫では、正常紙葉類を収納すると、受け入れ側保管庫に対応する記憶部に正常紙葉類の固有情報を追加し、順番情報を更新する。更新された順番情報は、正常紙葉類が収納された後に受け入れ側保管庫に存在する紙幣の繰り出し順番を表す。
【００３１】
紙幣取扱制御部３１０は、紙幣判別部３３０に搬送した紙幣が、リジェクト紙幣であると判定され、固有情報の取得が成功した場合、その搬送した紙幣を図５（ａ）に示す「正常紙葉類」と図５（ｂ）に示す「不明紙葉類１」とが重なった紙幣であると判定する。ここで、「不明紙葉類１」とは、固有情報が不明な０枚以上の紙葉類を表している。よって、固有情報の取得が成功したスキューやシフト状態の一枚の紙幣や、複数枚重なった紙幣はすべて正常紙葉類と不明紙葉類１とが重なった紙幣に該当する。紙幣取扱制御部３１０は、搬送した紙幣が正常紙葉類と不明紙葉類１とが重なった紙幣であると判定すると、搬送された紙幣の受け入れ側保管庫では、搬送された紙幣を収納すると、受け入れ側保管庫に対応する記憶部に正常紙葉類の固有情報と、不明紙葉類１を表す情報を追加し、順番情報を更新する。
【００３２】
紙幣取扱制御部３１０は、紙幣判別部３３０に搬送した紙幣が、リジェクト紙幣ではないと判定され、固有情報の取得が成功しなかった場合、その搬送した紙幣を図５（ｃ）に示す「不明紙幣２」であると判定する。ここで、「不明紙葉類２」とは、固有情報が判明していない１枚の紙葉類を表している。紙幣取扱制御部３１０は、搬送した紙幣が不明紙葉類２であると判定すると、繰り出された不明紙葉類２を収容する側の受け入れ側保管庫では、不明紙葉類２を収納すると、受け入れ側保管庫に対応する記憶部に不明紙葉類２を表す情報追加し、順番情報を更新する。
【００３３】
紙幣取扱制御部３１０は、紙幣判別部３３０に搬送した紙幣が、リジェクト紙幣であると判定され、固有情報の取得が成功しなかった場合、その搬送した紙幣を図５（ｄ）に示す「不明紙葉類３」であると判定する。ここで、「不明紙葉類３」とは、固有情報が不明な１枚以上の紙葉類を表している。よって、固有情報の取得が成功しなかったスキューやシフト状態の一枚の紙幣や、複数枚重なった紙幣はすべて不明紙葉類３に該当する。紙幣取扱制御部３１０は、搬送した紙幣が不明紙葉類３であると判定すると、搬送された紙幣の受け入れ側保管庫では、搬送された紙幣を収納すると、受け入れ側保管庫に対応する記憶部に不明紙葉類３を表す情報を追加し、順番情報を更新する。
【００３４】
Ａ２．紙葉類推定処理：
図６は、紙葉類推定処理の流れを示すフローチャートである。本実施例における紙葉類推定処理は、各保管庫に格納されている紙幣の枚数や金種を確定させるための計数処理時において、紙幣判別部３３０により固有情報の取得ができなかった紙幣の固有情報を推定するための処理である。
【００３５】
ここでは、具体例を用いて紙葉類推定処理の内容を説明する。図７は、紙幣取扱機構および記憶部を模式的に示した説明図である。図７では、第１収納庫３８１に１５０枚の紙幣が収容され、装填庫３７０に１０枚の紙幣が収納された状態が示されている。一方、一時保管庫３４０およびリジェクト庫３６０には紙幣が収納されていない状態が示されている。また、図７には、一時保管庫情報記憶部３９１、リジェクト庫情報記憶部３９２、装填庫情報記憶部３９３、第１収納庫情報記憶部３９４が示され、それぞれ対応する保管庫に収納されている紙幣の固有情報および順番情報が格納されている。なお、ここでの紙幣はすべて同一種類である。
【００３６】
図７では、順番情報は、保管庫において収納する紙幣の固有情報と、保管庫から排出される順番との組み合わせにより表されている。例えば、第１収納庫情報記憶部３９４に表されている「１：１１１１」は順番情報であり、固有情報である記番号「１１１１」の紙幣が第１収納庫３８１に収容されている紙幣の中で一番先に排出されることを意味している。また、順番情報「２：２２２２」は、記番号「２２２２」の紙幣が記番号「１１１１」の紙幣の次に排出されることを意味しているとともに、記番号「２２２２」の紙幣が記番号「３３３３」の紙幣の前に排出されることを意味している。
【００３７】
ここでは、図６および図７を用いて、第１収納庫３８１から３枚の紙幣を装填庫３７０に繰り出す際の紙葉類推定処理を説明する。第１収納庫３８１から繰り出された紙幣は紙幣判別部３３０を経由して装填庫３７０に収納される。なお、紙幣判別部３３０によりリジェクト紙幣と判定された紙幣は、装填庫３７０ではなく、リジェクト庫３６０や、一時保管庫３４０に搬送されるが、ここでは、説明を簡潔にするために、すべて装填庫３７０に搬送されるものとして説明する。
【００３８】
ＡＴＭ１０において、紙幣取扱制御部３１０は、タッチパネル２０１からの入力や、インタフェース部４００を介したホストコンピュータからの要求、もしくは、係員操作部５００からの入力等により第１収納庫３８１からの紙幣の繰り出しを開始し、同時に紙葉類推定処理を開始する。
【００３９】
紙幣取扱制御部３１０は、第１収納庫３８１から繰り出した紙幣が一枚目か否かを判定する（ステップＳ１１０）。具体的には、紙幣取扱制御部３１０は、紙葉類推定処理を開始するための入力を受け付けた後に、第１収納庫３８１に備えられている図示しないセンサにより、最初に排出が検知された紙幣を一枚目と判定することができる。また、紙幣取扱制御部３１０は、紙葉類推定処理を開始するための入力を受け付けた後に、最初に紙幣判別部３３０を通過した紙幣を一枚目とすることができる。
【００４０】
繰り出した紙幣が一枚目である場合（ステップＳ１１０：ＹＥＳ）、紙幣取扱制御部３１０は、繰り出し枚数が確定状態であると設定する（ステップＳ１２０）。繰り出し枚数が確定状態であるとは、第１収納庫３８１から繰り出された紙幣の実際の枚数を紙幣取扱制御部３１０が算出できる状態を表す。一方、例えば、紙幣を１枚繰り出すための制御により複数枚の紙幣が重なって一度に繰り出された場合には、紙幣取扱制御部３１０は、第１収納庫３８１から実際に繰り出された枚数を算出することができない状態となる。この状態を不確定状態と呼ぶ。不確定状態であっても、その後、第１収納庫３８１から繰り出された紙幣の固有情報が取得できれば実際に繰り出された紙幣の枚数を算出することできるため、確定状態に戻る。本実施例において、紙幣取扱制御部３１０は、繰り出し枚数が確定状態か不確定状態かをフラグにより設定する。ステップＳ１２０では、紙幣取扱制御部３１０は、繰り出し枚数が確定状態であることを示すフラグを立てる。
【００４１】
紙幣取扱制御部３１０は、紙幣がリジェクト紙幣か否かを判別する（ステップＳ１３０）。具体的には、紙幣取扱制御部３１０は、第１収納庫３８１から繰り出した紙幣を紙幣判別部３３０に搬送し、紙幣判別部３３０により、搬送している紙幣がリジェクト紙幣か否かを判別する。搬送している紙幣がリジェクト紙幣である場合（ステップＳ１３０：ＹＥＳ）、紙幣取扱制御部３１０は、後述するリジェクト時推定処理を実行する（ステップＳ１４０）。搬送している紙幣がリジェクト紙幣ではない場合（ステップＳ１３０：ＮＯ）、紙幣取扱制御部３１０は、紙幣から固有情報の取得を行う（ステップＳ１５０）。紙幣取扱制御部３１０は、紙幣判別部３３０を制御して、搬送している紙幣に対して取得処理を実行させる。
【００４２】
紙幣判別部３３０による取得処理により、固有情報の取得が成功した場合（ステップＳ１５０：ＹＥＳ）、紙幣取扱制御部３１０は、搬送している紙幣を正常紙葉類と判定するとともに、後述する取得成功時推定処理を実行する（ステップＳ１６０）。一方、取得処理により、固有情報の取得が成功しなかった場合（ステップＳ１５０：ＮＯ）、紙幣取扱制御部３１０は、搬送している紙幣を不明紙葉類２と判定する（ステップＳ１７０）。また、紙幣取扱制御部３１０は、フラグにより繰り出し枚数が確定状態か否かを判定する（ステップＳ１８０）。繰り出し枚数が確定状態である場合（ステップＳ１８０：ＹＥＳ）、紙幣取扱制御部３１０は、繰り出された紙幣の固有情報を推定するため、後述する紙葉類推定１を行う（ステップＳ１９０）。また、繰り出し枚数が確定状態ではない場合（ステップＳ１８０：ＮＯ）、紙葉類推定１をスキップする。
【００４３】
ここで、紙葉類推定１について説明する。図８は、紙葉類推定１を説明するための説明図である。図８（ａ）は、紙葉類推定処理前の装填庫情報記憶部３９３に格納された固有情報および順番情報を示している。図８（ｂ）は、不明紙葉類２が格納された時の装填庫情報記憶部３９３の固有情報および順番情報を示している。図８（ｂ）の「Ｕ２」は、不明紙葉類２を表している。図８（ｃ）は、紙葉類推定１をおこなった後の装填庫情報記憶部３９３の固有情報および順番情報を示している。
【００４４】
紙葉類推定１が実行されるときは、ステップＳ１７０において繰り出し枚数が確定しているため、装填庫３７０に収納された不明紙葉類２に該当する紙幣の固有情報を、繰り出し元の第１収納庫３８１の第１収納庫情報記憶部３９４に格納されている順番情報から推定することができる。具体的には、紙幣取扱制御部３１０は、装填庫３７０に収納された固有情報不明の一枚の紙幣は、第１収納庫３８１から最初に排出されるべき紙幣であり、第１収納庫情報記憶部３９４に格納されている順番情報から固有情報が「１１１１」であると推定する。よって、紙幣取扱制御部３１０は、装填庫情報記憶部３９３において、図８（ｂ）に示す「Ｕ２」を、図８（ｃ）に示す固有情報「１１１１」に更新する。また、紙幣取扱制御部３１０は、第１収納庫情報記憶部３９４から固有情報「１１１１」を削除する。以上により紙葉類推定１が終了する。また、紙葉類推定処理が終了する。
【００４５】
ステップＳ１３０において、搬送している紙幣がリジェクト紙幣である場合に実行されるリジェクト時推定処理（ステップＳ１４０）について説明する。図９は、リジェクト時推定処理の流れを示すフローチャートである。
【００４６】
紙幣取扱制御部３１０は、繰り出し枚数が確定状態か否かを判定し（ステップＳ２１０）、繰り出し枚数が確定状態ではない場合（ステップＳ２１０：ＮＯ）、紙幣取扱制御部３１０は、搬送している紙幣を不明紙葉類３と判定する（ステップＳ２２０）。搬送している紙幣は固有情報が不明な１枚以上の紙葉類出あるからである。紙幣取扱制御部３１０は、繰り出し先の保管庫に対応する記憶部に不明紙葉類３が搬送された旨を記録する。一方、繰り出し元の保管庫に対応する記憶部については固有情報および順番情報の更新は行わない。
【００４７】
繰り出し枚数が確定状態である場合（ステップＳ２１０：ＹＥＳ）、紙幣取扱制御部３１０は、後述する紙葉類推定２を行う（ステップＳ２３０）。ステップＳ２２０の判定もしくは、ステップＳ２３０の紙葉類推定２の後、紙幣取扱制御部３１０は、繰り出し枚数を不確定状態に設定する（ステップＳ２４０）。以上により、リジェクト時推定処理が終了し、また、紙葉類推定処理も終了する。
【００４８】
ここで、紙葉類推定２について説明する。図１０は、紙葉類推定２を説明するための説明図である。図１０（ａ）は、紙葉類推定処理前の装填庫情報記憶部３９３に格納された固有情報および順番情報を示している。繰り出し枚数が確定した状態でリジェクト紙幣が搬送された場合、紙幣取扱制御部３１０は、搬送した紙幣を不明紙葉類２と不明紙葉類１の組み合わせの紙幣である判定する。そのため、図１０（ｂ）に示すように、装填庫情報記憶部３９３には、不明紙葉類２を表す「Ｕ２」と、不明紙葉類１を表す「Ｕ１」が順に設定される。
【００４９】
このとき、装填庫３７０に収納された紙幣の固有情報の少なくとも一部を、繰り出し元の第１収納庫３８１の第１収納庫情報記憶部３９４に格納されている順番情報から推定することができる。具体的には、紙幣取扱制御部３１０は、装填庫３７０に収納された枚数不明および固有情報不明の紙幣のうち、装填庫３７０に収納された最初の１枚は、第１収納庫３８１から最初に排出された紙幣であるため、第１収納庫情報記憶部３９４に格納されている順番情報から固有情報が「１１１１」であると推定する。よって、紙幣取扱制御部３１０は、装填庫情報記憶部３９３において、図１０（ｂ）に示す「Ｕ２」を、図１０（ｃ）に示す固有情報「１１１１」に更新する。また、紙幣取扱制御部３１０は、第１収納庫情報記憶部３９４から固有情報「１１１１」を削除する。以上により紙葉類推定２が終了する。
【００５０】
ステップＳ１５０において、固有情報の取得が成功した場合に実行される取得成功時推定処理（ステップＳ１６０）について説明する。図１１は、取得成功時推定処理の流れを示すフローチャートである。
【００５１】
紙幣取扱制御部３１０は、繰り出し元の記憶部に取得した固有情報と一致する固有情報があるか否かを判定する（ステップＳ３１０）。繰り出し元の記憶部に取得した固有情報と一致する固有情報がある場合（ステップＳ３１０：ＹＥＳ）、紙幣取扱制御部３１０は、繰り出し枚数確定状態に設定する（ステップＳ３１５）。固有情報と一致する固有情報がない場合（ステップＳ３１０：ＮＯ）には、紙幣取扱制御部３１０は、次のステップに進む。
【００５２】
紙幣取扱制御部３１０は、繰り出し枚数が確定状態か否かを判定し（ステップＳ３２０）、繰り出し枚数が確定状態ではない場合（ステップＳ３２０：ＮＯ）、紙幣取扱制御部３１０は、取得した固有情報を繰り出し先の保管庫に対応する記憶部に設定し（ステップＳ３２５）、読取成功時推定処理および紙葉類推定処理が終了する。繰り出し枚数が確定状態である場合（ステップＳ３２０：ＹＥＳ）、紙幣取扱制御部３１０は、前回搬送した紙幣が不明紙葉類１であったか否かを判定する（ステップＳ３３０）。前回搬送した紙幣が不明紙葉類１であった場合（ステップＳ３３０：ＹＥＳ）、紙幣取扱制御部３１０は、紙葉類推定３を行う（ステップＳ３３５）。前回搬送した紙幣が不明紙葉類１ではなかった場合（ステップＳ３３０：ＮＯ）、紙幣取扱制御部３１０は、次のステップに進む。
【００５３】
紙葉類推定３について説明する。図１２は、紙葉類推定３を説明するための説明図である。図１２（ａ）は、装填庫情報記憶部３９３に不明紙葉類１（Ｕ１）を含む固有情報および順番情報を示している。なお、図１２（ａ）は、図１０（ｃ）と同じ状態を示している。ステップＳ１５０において、紙幣判別部３３０により取得された固有情報が「５５５５」であった場合、図１２（ｂ）に示すように、紙幣取扱制御部３１０は、装填庫情報記憶部３９３に固有情報「５５５５」を設定する。その後、紙幣取扱制御部３１０は、第１収納庫情報記憶部３９４において、記番号「５５５５」の紙幣より先に排出されるべき紙幣を確認する。ここでは、記番号「２２２２」「３３３３」「４４４４」の紙幣は、記番号「５５５５」の紙幣より先に第１収納庫３８１から排出されるべき紙幣であるから、紙幣取扱制御部３１０は、装填庫情報記憶部３９３の不明紙葉類１（Ｕ１）は、記番号「２２２２」「３３３３」「４４４４」の紙幣であると推定する。よって、紙幣取扱制御部３１０は、図１２（ｃ）に示すように、装填庫情報記憶部３９３に固有情報「２２２２」「３３３３」「４４４４」を追加する。上記により紙葉類推定３が終了する。
【００５４】
紙葉類推定３の他の例について説明する。図１３は、紙葉類推定３の他の例を説明するための説明図である。図１３（ａ）は、図１２（ａ）および図１０（ｃ）と同じ状態を示している。ステップＳ１５０において、紙幣判別部３３０により取得された固有情報が「２２２２」であった場合、図１３（ｂ）に示すように、紙幣取扱制御部３１０は、装填庫情報記憶部３９３に固有情報「２２２２」を設定する。その後、紙幣取扱制御部３１０は、第１収納庫情報記憶部３９４において、記番号「２２２２」の紙幣より先に排出されるべき紙幣を確認する。ここでは、記番号「２２２２」の紙幣より先に排出された紙幣が存在しないことから、紙幣取扱制御部３１０は、装填庫情報記憶部３９３の不明紙葉類１（Ｕ１）は、０枚の紙幣でると推定する。よって、紙幣取扱制御部３１０は、図１２（ｃ）に示すように、装填庫情報記憶部３９３の「Ｕ１」を削除する。上記により紙葉類推定３が終了する。紙葉類推定３が終了すると、読取成功時推定処理および紙葉類推定処理が終了する。
【００５５】
図１１に戻り、前回搬送した紙幣が不明紙葉類１ではなかった場合（ステップＳ３３０：ＮＯ）、紙幣取扱制御部３１０は、前回搬送した紙幣が不明紙葉類２であったか否かを判定する（ステップＳ３４０）。前回搬送した紙幣が不明紙葉類２であった場合（ステップＳ３４０：ＹＥＳ）、紙幣取扱制御部３１０は、紙葉類推定４を行う（ステップＳ３４５）。前回搬送した紙幣が不明紙葉類２ではなかった場合（ステップＳ３４０：ＮＯ）、紙幣取扱制御部３１０は、次のステップに進む。
【００５６】
紙葉類推定４について説明する。図１４は、紙葉類推定４を説明するための説明図である。図１４（ａ）は、装填庫情報記憶部３９３に不明紙葉類２（Ｕ２）および不明紙葉類３（Ｕ３）を含む固有情報および順番情報を示している。なお、図１４（ａ）は、前々回搬送した紙幣はステップＳ２２０において不明紙葉類３と判定されて、装填庫情報記憶部３９３に「Ｕ３」が記録され、前回搬送した紙幣は、ステップＳ１７０において不明紙葉類２と判定され、装填庫情報記憶部３９３に「Ｕ２」が記録された状態を示している。
【００５７】
ステップＳ１５０において、紙幣判別部３３０により取得された固有情報が「５５５５」であった場合、図１４（ｂ）に示すように、紙幣取扱制御部３１０は、装填庫情報記憶部３９３に固有情報「５５５５」を設定する。その後、紙幣取扱制御部３１０は、第１収納庫情報記憶部３９４において、記番号「５５５５」の紙幣の一つ前に排出されるべき紙幣を確認する。ここでは、記番号「４４４４」の紙幣が、記番号「５５５５」の紙幣の１つ前に第１収納庫３８１から排出された紙幣であるから、紙幣取扱制御部３１０は、装填庫情報記憶部３９３の不明紙葉類２（Ｕ２）は、記番号「４４４４」の紙幣であると推定する。よって、紙幣取扱制御部３１０は、図１４（ｃ）に示すように、装填庫情報記憶部３９３に固有情報「４４４４」を追加する。
【００５８】
次に、紙幣取扱制御部３１０は、第１収納庫情報記憶部３９４において、記番号「４４４４」の紙幣より先に排出されるべき紙幣を確認する。ここでは、記番号「２２２２」「３３３３」の紙幣が、記番号「４４４４」の紙幣より先に第１収納庫３８１から排出された紙幣であるから、紙幣取扱制御部３１０は、装填庫情報記憶部３９３の不明紙葉類３（Ｕ３）は、記番号「２２２２」「３３３３」の紙幣であると推定する。よって、紙幣取扱制御部３１０は、図１４（ｄ）に示すように、装填庫情報記憶部３９３に固有情報「２２２２」「３３３３」を追加する。上記により紙葉類推定４が終了する。
【００５９】
紙葉類推定４の他の例について説明する。図１５は、紙葉類推定４の他の例を説明するための説明図である。図１５（ａ）は、装填庫情報記憶部３９３に不明紙葉類１（Ｕ１）および２つの不明紙葉類２（Ｕ２）を含む固有情報および順番情報を示している。なお、図１５（ａ）は、図１０（ｃ）の状態の後に搬送した紙幣がステップＳ１７０において不明紙葉類２と２回続けて判定され、装填庫情報記憶部３９３にそれぞれ「Ｕ２」が記録された状態を示している。
【００６０】
ステップＳ１５０において、紙幣判別部３３０により取得された固有情報が「４４４４」であった場合、図１５（ｂ）に示すように、紙幣取扱制御部３１０は、装填庫情報記憶部３９３に固有情報「４４４４」を設定する。その後、紙幣取扱制御部３１０は、第１収納庫情報記憶部３９４において、記番号「４４４４」の紙幣の一つ前に排出されるべき紙幣を確認する。ここでは、記番号「３３３３」の紙幣が、記番号「４４４４」の紙幣の１つ前に第１収納庫３８１から排出された紙幣であるから、紙幣取扱制御部３１０は、装填庫情報記憶部３９３に設定した固有情報「４４４４」の１つ前の不明紙葉類２（Ｕ２）は、記番号「３３３３」の紙幣であると推定する。よって、紙幣取扱制御部３１０は、図１５（ｃ）に示すように、装填庫情報記憶部３９３に固有情報「３３３３」を追加する。
【００６１】
次に、紙幣取扱制御部３１０は、第１収納庫情報記憶部３９４において、記番号「３３３３」の紙幣の一つ前に排出されるべき紙幣を確認する。ここでは、記番号「２２２２」の紙幣が、記番号「３３３３」の紙幣の１つ前に第１収納庫３８１から排出された紙幣であるから、紙幣取扱制御部３１０は、装填庫情報記憶部３９３に設定した固有情報「３３３３」の１つ前の不明紙葉類２（Ｕ２）は、記番号「２２２２」の紙幣であると推定する。よって、紙幣取扱制御部３１０は、図１５（ｄ）に示すように、装填庫情報記憶部３９３に固有情報「２２２２」を追加する。
【００６２】
次に、紙幣取扱制御部３１０は、第１収納庫情報記憶部３９４において、記番号「２２２２」の紙幣より先に排出されるべき紙幣を確認する。ここでは、記番号「２２２２」の紙幣より先に排出された紙幣が存在しないことから、紙幣取扱制御部３１０は、装填庫情報記憶部３９３の不明紙葉類１（Ｕ１）は、０枚の紙幣であると推定する。よって、紙幣取扱制御部３１０は、図１５（ｅ）に示すように、装填庫情報記憶部３９３の「Ｕ１」を削除する。上記により紙葉類推定４が終了する。紙葉類推定４が終了すると、読取成功時推定処理および紙葉類推定処理が終了する。
【００６３】
図１１に戻り、前回搬送した紙幣が不明紙葉類２ではなかった場合（ステップＳ３４０：ＮＯ）、紙幣取扱制御部３１０は、前回搬送した紙幣が不明紙葉類３であったか否かを判定する（ステップＳ３５０）。前回搬送した紙幣が不明紙葉類３であった場合（ステップＳ３５０：ＹＥＳ）、紙幣取扱制御部３１０は、紙葉類推定５を行う（ステップＳ３５５）。前回搬送した紙幣が不明紙葉類３ではなかった場合（ステップＳ３５０：ＮＯ）、紙幣取扱制御部３１０は、取得した固有情報を装填庫情報記憶部３９３に設定するとともに、第１収納庫情報記憶部３９４から固有情報を削除する（ステップＳ３６０）。これにより読取成功時推定処理および紙葉類推定処理が終了する。
【００６４】
紙葉類推定５について説明する。図１６は、紙葉類推定５を説明するための説明図である。図１６（ａ）は、装填庫情報記憶部３９３に不明紙葉類３（Ｕ３）を含む固有情報および順番情報を示している。なお、図１６（ａ）は、前回搬送した紙幣がステップＳ２２０において不明紙葉類３と判定され、装填庫情報記憶部３９３に「Ｕ３」が記録された状態を示している。
【００６５】
ステップＳ１５０において、紙幣判別部３３０により取得された固有情報が「５５５５」であった場合、図１６（ｂ）に示すように、紙幣取扱制御部３１０は、装填庫情報記憶部３９３に固有情報「５５５５」を設定する。その後、紙幣取扱制御部３１０は、第１収納庫情報記憶部３９４において、記番号「５５５５」の紙幣の一つ前に排出されるべき紙幣を確認する。ここでは、記番号「４４４４」の紙幣が、記番号「５５５５」の紙幣の１つ前に第１収納庫３８１から排出された紙幣であるから、紙幣取扱制御部３１０は、装填庫情報記憶部３９３において、記番号「５５５５」の紙幣の一つ前に格納された紙幣は、記番号「４４４４」の紙幣であると推定する。このとき、図１６（ｃ）に示すように、装填庫情報記憶部３９３に固有情報「４４４４」を追加するとともに、設定されている不明紙葉類３（Ｕ３）を不明紙葉類２（Ｕ２）に変更する。不明紙葉類３が記番号「４４４４」の紙幣のみであった可能性があるためである。
【００６６】
次に、紙幣取扱制御部３１０は、第１収納庫情報記憶部３９４において、記番号「４４４４」の紙幣より先に排出されるべき紙幣を確認する。ここでは、記番号「２２２２」「３３３３」の紙幣が、記番号「４４４４」の紙幣より先に第１収納庫３８１から排出された紙幣であるから、紙幣取扱制御部３１０は、装填庫情報記憶部３９３の不明紙葉類２（Ｕ２）は、記番号「２２２２」「３３３３」の紙幣であると推定する。よって、紙幣取扱制御部３１０は、図１６（ｄ）に示すように、装填庫情報記憶部３９３に固有情報「２２２２」「３３３３」を追加する。上記により紙葉類推定５が終了する。紙葉類推定５が終了すると、読取成功時推定処理および紙葉類推定処理が終了する。
【００６７】
本実施例における紙幣判別部３３０は、特許請求の範囲における「取得部」該当する。本実施例における一時保管庫３４０、リジェクト庫３６０、装填庫３７０、収納庫３８０は、特許請求の範囲における「格納部」および「格納庫」に該当する。また、図１２、図１４、図１６において、固有情報「２２２２」「３３３３」「４４４４」の紙幣は、特許請求の範囲における「第１の紙葉類」に該当し、固有情報「５５５５」の紙幣は、特許請求の範囲における「第２の紙葉類」に該当する。図１５において、固有情報「２２２２」「３３３３」の紙幣は、特許請求の範囲における「第１の紙葉類」に該当し、固有情報「４４４４」の紙幣は、特許請求の範囲における「第２の紙葉類」に該当する。
【００６８】
以上説明した、第１の実施例に係るＡＴＭ１０によれば、保管庫３４０、３７０、３８０から排出され、紙幣判別部３３０により取得処理がおこなわれた紙幣の一部に、固有情報の取得ができなかった紙幣が含まれても、固有情報の取得ができなかった紙葉類の後に取得処理がおこなわれた紙幣の固有情報と、記憶部３９０に記憶されている固有情報および順番情報と、を用いて、固有情報の取得ができなかった紙幣の固有情報を推定するため、搬送している紙葉類から固有情報の読み取りができない場合であっても、計数処理に係る処理負担の軽減を図ることができる。
【００６９】
具体的には、取得処理により固有情報が取得できなかった紙幣が存在した場合であっても、固有情報の取得が成功したか否かの取得結果や、紙幣がリジェクト紙幣であるか否かの判定結果を含む情報を記憶部３９０に格納し、固有情報の取得ができなかった紙幣の後に固有情報の取得が成功した紙幣の固有情報を用いることにより、固有情報の取得ができなかった紙幣の固有情報を推定することができる。これにより、保管庫３４０、３６０、３７０、３８０に格納している紙幣の固有情報が特定でき、格納庫に格納している紙葉類の枚数や種類を確定させることができるなど、紙葉類取扱装置の計数処理に係る処理負担の軽減を図ることができる。
【００７０】
第１の実施例に係るＡＴＭ１０によれば、紙幣取扱制御部３１０は、固有情報の取得がなされた紙幣の固有情報と、記記憶部３９０に記憶されている固有情報および順番情報とを比較し、固有情報の取得がなされた紙幣よりも保管庫おいて先に排出されるべき紙幣の固有情報を、固有情報の取得ができなかった紙幣の固有情報と推定するため、計数処理に係る処理負担の軽減を図ることができる。具体的には、格納庫に格納している紙葉類の枚数や種類を確定させるための計数処理を行う際にリジェクト紙幣などが生じて、それぞれの格納庫に格納している紙葉類の枚数や種類が不明確な状態となった場合であっても、固有情報を推定することにより、不明確な状態の紙幣の枚数を抑制することができるため、計数処理に係る処理負担の軽減を図ることができる。
【００７１】
Ｂ．変形例：
なお、この発明は上記の実施例や実施形態に限られるものではなく、その要旨を逸脱しない範囲において種々の態様において実施することが可能であり、例えば次のような変形も可能である。
【００７２】
Ｂ１．変形例１：
本実施例では、説明を簡潔にするために、紙幣判別部３３０により、リジェクト紙幣と判定された紙幣についても装填庫３７０に収納する態様で説明したが、本発明は、紙幣判別部３３０による判別結果に応じて異なる複数の保管庫に搬送する態様であっても実現することができる。例えば、紙幣判別部３３０により、リジェクト紙幣と判別されなかった紙幣のみを装填庫３７０に収納し、リジェクト紙幣のうち、固有情報の再取得が可能な紙幣を一時保管庫３４０に収納し、再取得不可能な紙幣をリジェクト庫３６０に収納する態様であってもよい。この場合、繰り出しにより固有情報の取得ができなかった紙幣について第１実施例に示した方法により固有情報を推定するとともに、一時保管庫３４０に収納されている紙幣については、再度、紙幣判別部３３０を経由させて装填庫３７０に搬送することで再度、取得処理を行うことができる。
【００７３】
Ｂ２．変形例２：
図１７は、紙葉類推定処理の結果についての出力例を例示した説明図である。ＡＴＭ１０は、実施例で説明した紙葉類推定処理をおこなった後、各保管庫に収納されている紙幣の金種や枚数、固有情報等を紙などの媒体もしくはタッチパネル２０１に表示してもよい。
【００７４】
具体的には、例えば、本体制御部６００は、係員操作部５００から装填庫３７０に収納されている紙幣の情報について印字して出力する命令を受け付けると、本体制御部６００から装填庫３７０において固有情報が判明している紙幣の枚数、固有情報が不明の紙幣の枚数、金種ごとの枚数、および、順番情報などを取得する。その後、本体制御部６００は、カード明細票処理機構１００を制御して、図１７上側に示すように、固有情報が判明している紙幣の枚数、固有情報が不明の紙幣の枚数、金種ごとの枚数、装填庫３７０に収納されている紙幣の枚数、および、装填庫３７０に格納されている順に紙幣の金種および固有情報のリストなどを印字して出力をおこなってもよい。
【００７５】
また、本体制御部６００は、係員操作部５００から装填庫３７０に収納されている紙幣の情報についてタッチパネル２０１に表示するする命令を受け付けると、同様に、本体制御部６００から装填庫３７０において固有情報が判明している紙幣の枚数、固有情報が不明の紙幣の枚数、金種ごとの枚数、および、順番情報などを取得する。その後、本体制御部６００は、顧客操作部２００を制御して、図１７下側に示すように、固有情報が判明している紙幣の枚数、固有情報が不明の紙幣の枚数、金種ごとの枚数、装填庫３７０に収納されている紙幣の枚数、および、装填庫３７０に格納されている順に紙幣の金種および固有情報のリストなどをタッチパネル２０１に表示してもよい。このとき、本体制御部６００は、特許請求の範囲における「表示制御部」に該当し、紙など印字を行うための媒体、もしくは、タッチパネル２０１は、特許請求の範囲における「表示媒体」に該当する。
【００７６】
Ｂ３．変形例３：
本実施例では、固有情報と保管庫から排出される順番との組み合わせを順番情報として説明しているが、順番情報とは、保管庫から排出される順番を表す番号を指していてもよい。例えば、図７の第１収納庫情報記憶部３９４に表されている「１：１１１１」は、「１：」が順番情報であり、「１１１１」が固有情報であるとしてもよい。この場合、順番情報には、固有情報が含まれていないため、固有情報を用いなくても順番情報を生成することができる。
【００７７】
なお、本発明は、上記以外の種々の形態で実現することが可能であり、例えば、搬送路、取得部、格納部を備える紙葉類取扱装置を用いた紙葉類取扱方法、紙葉類取扱方法または紙葉類取扱装置の機能を実現するためのコンピュータープログラム、そのコンピュータープログラムを記録した記憶媒体等の形態で実現することができる。また、本発明に係る紙葉類取扱装置は、適宜、他の部材と組み合わせて適用することができる。
【符号の説明】
【００７８】
１０…現金自動取引装置
２０…装置筐体
３０…金庫筐体
１００…カード明細票処理機構
１０１…カードスロット
２００…顧客操作部
２０１…タッチパネル
３００…紙幣取扱機構
３１０…紙幣取扱制御部
３２０…入出金口
３３０…紙幣判別部
３４０…一時保管庫
３５０…搬送路
３６０…リジェクト庫
３７０…装填庫
３８０…収納庫
３８１…第１収納庫
３８２…第２収納庫
３８３…第３収納庫
３８４…第４収納庫
３９０…記憶部
３９１…一時保管庫情報記憶部
３９２…リジェクト庫情報記憶部
３９３…装填庫情報記憶部
３９４…第１収納庫情報記憶部
３９５…第２収納庫情報記憶部
３９６…第３収納庫情報記憶部
３９７…第４収納庫情報記憶部
４００…インタフェース部
５００…係員操作部
６００…本体制御部
７００…外部記憶装置
８００…電源部
【図１】
0005395632.tif 000002
【図２】
0005395632.tif 000003
【図３】
0005395632.tif 000004
【図４】
0005395632.tif 000005
【図５】
0005395632.tif 000006
【図６】
0005395632.tif 000007
【図７】
0005395632.tif 000008
【図８】
0005395632.tif 000009
【図９】
0005395632.tif 000010
【図１０】
0005395632.tif 000011
【図１１】
0005395632.tif 000012
【図１２】
0005395632.tif 000013
【図１３】
0005395632.tif 000014
【図１４】
0005395632.tif 000015
【図１５】
0005395632.tif 000016
【図１６】
0005395632.tif 000017
【図１７】
0005395632.tif 000018